(57)【要約】【課題】紫外線を集塵フィルターへ効果的に照射でき、集塵フィルターの着脱を容易に行えるようにする。【解決手段】本体ケース１内に紫外線を照射する発光体としての紫外線ランプ２３を取り付け、この紫外線ランプ２３の風下側に集塵フィルター１５を配設すると共に、この集塵フィルター１５を、紫外線ランプ２３を本体ケース１から取り外すことなく着脱可能な構成とする。集塵フィルター１５を、集塵フィルター１５への通気方向と交差する方向へスライドさせて着脱可能な構成とすると共に、紫外線を照射する紫外線ランプ２３を集塵フィルター１５の風上側に配設する。【効果】集塵フィルターに付着した雑菌を効率良く殺菌できると共に、集塵フィルターの着脱を紫外線ランプを取り外さずに行うことができ、集塵フィルターの掃除や交換時の作業性を向上できる。【選択図】　　　図５
2004061078.tif 000002
【特許請求の範囲】
【請求項１】
本体ケース内に紫外線を照射する発光体を取り付け、該発光体の風下側に集塵フィルターを配設すると共に、該集塵フィルターを、前記発光体を前記本体ケースから取り外すことなく着脱可能な構成としたことを特徴とする空気清浄機。
【請求項２】
本体ケース内に吸い込んだ空気を集塵フィルターで浄化して本体ケース外に吹き出す空気清浄機において、前記集塵フィルターを、集塵フィルターへの通気方向と交差する方向へスライドさせて着脱可能な構成とすると共に、紫外線を照射する発光体を前記集塵フィルターの風上側に配設したことを特徴とする空気清浄機。
【請求項３】
前記本体ケースには、前記集塵フィルターを着脱するための装着口が形成され、前記集塵フィルターの前記装着口側に手掛け部が形成されていることを特徴とする請求項２に記載の空気清浄機。
【請求項４】
本体ケース内に吸い込んだ空気を集塵フィルターで浄化して本体ケース外に吹き出す空気清浄機において、前記集塵フィルターを風上側から着脱自在に収納する前記本体ケース内に形成された収納部と、前記集塵フィルターの風上側の面を開閉自在に覆う取付板と、該取付板に取り付けられて前記集塵フィルターに紫外線を照射する発光体とを具えたことを特徴とする空気清浄機。
【請求項５】
前記取付板は、一端側が前記収納部の一端側の周縁に枢支され、他端側が前記収納部の他端側の周縁に係止されることを特徴とする請求項４に記載の空気清浄機。
【請求項６】
前記取付板の非係止時に前記発光体への通電を遮断するようにしたことを特徴とする請求項５に記載の空気清浄機。
【請求項７】
前記発光体からの紫外線を前記集塵フィルター側へ反射する反射板が設けられていることを特徴とする請求項１乃至請求項６のいずれかに記載の空気清浄機。
【請求項８】
前記集塵フィルターを紫外線で変質し難い素材にて形成したことを特徴とする請求項１乃至請求項７のいずれかに記載の空気清浄機。
【発明の詳細な説明】
【０００１】
【発明の属する技術分野】
本発明は、本体ケース内に吸い込んだ空気を浄化して本体ケース外に吹き出す空気清浄機に関する。
【０００２】
【従来の技術】
従来、この種の空気清浄機として、本体ケース内に設けられた送風機の駆動によって本体ケース内に吸い込んだ空気を、集塵フィルターと脱臭フィルターとを順次通過させ、集塵フィルターで塵埃を除去すると共に脱臭フィルターで臭気成分を除去して浄化し、この浄化した空気を本体ケース外に吹き出すものが知られている。
【０００３】
このような空気清浄機は集塵フィルターにて捕集された塵埃と共に雑菌が付着して増殖するため、集塵フィルターを掃除したり交換しようとして集塵フィルターを本体ケースから取り外す際に集塵フィルターで増殖した雑菌が集塵フィルターから周囲へ飛散し、不衛生となるものであった。
【０００４】
この点を解消しようとして、本体ケース内に紫外線ランプを設け、この紫外線ランプからの紫外線を集塵フィルターに照射することが考えられる。しかしながら、紫外線ランプを集塵フィルターの風上側に集塵フィルターに対向させて設けると、紫外線を集塵フィルターに効果的に照射できる反面、紫外線ランプを取り外さないと集塵フィルターの着脱を行えず、この際の作業が煩雑となる上、紫外線ランプを誤って落下させてしまい、破損する恐れが生じる。
【０００５】
【発明が解決しようとする課題】
本発明は、紫外線を集塵フィルターへ効果的に照射できると共に、集塵フィルターの着脱を容易に行える空気清浄機を提供することを課題とする。
【０００６】
【課題を解決するための手段】
上記課題を解決するための第１の手段は、本体ケース内に紫外線を照射する発光体を取り付け、この発光体の風下側に集塵フィルターを配設すると共に、この集塵フィルターを、前記発光体を前記本体ケースから取り外すことなく着脱可能な構成としたものである。
【０００７】
これにより、集塵フィルターの風上側に位置する発光体から紫外線を集塵フィルターに照射して付着した雑菌を効率良く殺菌できると共に、発光体を取り外さずに集塵フィルターの着脱を行うことができ、集塵フィルターの掃除や交換を容易に行うことができる。
【０００８】
上記課題を解決するための第２の手段は、本体ケース内に吸い込んだ空気を集塵フィルターで浄化して本体ケース外に吹き出す空気清浄機において、前記集塵フィルターを、集塵フィルターへの通気方向と交差する方向へスライドさせて着脱可能な構成とすると共に、紫外線を照射する発光体を前記集塵フィルターの風上側に配設したものである。
【０００９】
これにより、集塵フィルターの風上側に位置する発光体から紫外線を集塵フィルターに照射して付着した雑菌を効率良く殺菌できると共に、前記集塵フィルターを、集塵フィルターへの通気方向と交差する方向へスライドさせることで、発光体を取り外さなくても集塵フィルターを着脱することができ、集塵フィルターの掃除や交換を容易に行うことができる。
【００１０】
上記構成において、前記本体ケースには、前記集塵フィルターを着脱するための装着口が形成され、前記集塵フィルターの装着口側に手掛部が形成されているものである。
【００１１】
これにより、装着口から手掛部を持って集塵フィルターを本体ケースから取り外すことができる。
【００１２】
上記課題を解決するための第３の手段は、本体ケース内に吸い込んだ空気を集塵フィルターで浄化して本体ケース外に吹き出す空気清浄機において、前記集塵フィルターを風上側から着脱自在に収納する前記本体ケース内に形成された収納部と、前記集塵フィルターの風上側の面を開閉自在に覆う取付板と、この取付板に取り付けられて前記集塵フィルターに紫外線を照射する発光体とを具えたものである。
【００１３】
これにより、集塵フィルターの風上側に位置する発光体から紫外線を集塵フィルターに照射して付着した雑菌を効率良く殺菌できると共に、発光体が取り付けられた取付板を開くことで、発光体を取り外さなくても集塵フィルターを着脱することができ、集塵フィルターの掃除や交換を容易に行うことができる。
【００１４】
上記構成において、前記取付板は、具体的には、一端側が前記収納部の一端側の周縁に枢支され、他端側が前記収納部の他端側の周縁に係止されるものである。
【００１５】
また、前記取付板の非係止時に前記発光体への通電を遮断する。
【００１６】
これにより、取付板が所定の位置に係止されていない（取付板が開放されている）時に、発光体への通電が遮断されるので、発光体からの紫外線が本体ケース外に漏洩するのを防止できる。
【００１７】
また、前記発光体からの紫外線を前記集塵フィルター側へ反射する反射板を設ける。
【００１８】
これにより、集塵フィルターへ直接照射される紫外線に加え、反射板で反射された紫外線でも集塵フィルターに付着した雑菌を殺菌でき、雑菌の増殖をより効果的に抑制することができる。
【００１９】
また、前記集塵フィルターを紫外線で変質し難い素材にて形成する。
【００２０】
これにより、集塵フィルターに紫外線を照射するようにしても、集塵フィルターが変質し難く、長期間使用することができる。
【００２１】
【発明の実施の形態】
本発明の第１の実施の形態における空気清浄機を図１乃至図５に基づき説明する。尚、以降、前カバー４側を正面とし、後ケース３側を背面とする。
【００２２】
１は合成樹脂にて形成された空気清浄機の本体ケースで、前面側を開口する後ケース３と、この後ケース３に着脱自在に装着される前カバー４と、前カバー４の上方側に位置する上ケース５とから構成されている。
【００２３】
前カバー４には吸気口となる多数の鎧戸状の孔６が形成されており、この孔６から本体ケース１内に空気が取り込まれる。また、前カバー４の下部には、後ケース３の前面側下部に形成された係止孔７に挿入される係止部８が形成され、前カバー４の左右両側には押しボタン９の操作により後述する仕切板１１に着脱自在に係止される係止爪（図示せず）が形成されている。
【００２４】
後ケース３の上面には格子状の排気口２が形成され、背面には把手穴３ａと渦巻き状のファンケーシング１０が形成されており、このファンケーシング１０内は排気口２を介して本体ケース１外と連通されている。また、後ケース３の左側面には後述するフィルターユニット１３の装着口３ｂが形成されている。
【００２５】
１１は本体ケース１内を前後に区画する仕切板で、前後の空間を連通する穴１１ａが形成されている。この仕切板１１の正面（前カバー４側）には、正面側を開口し、前記装着口３ｂと対応する位置に開口１２ａが形成された凹状の収納部１２が形成されており、収納部１２にフィルターユニット１３が着脱自在に装着される。この収納部１２の上壁及び下壁からは案内リブ１２ｂが突出し、上壁に形成した穴１２ｃからは電力を供給する給電端子１４の先端側が突出している。また、収納部１２の近傍には孔６から吸い込まれた空気中の粉塵の量を検知する図示しない粉塵センサが設けられている。
【００２６】
４１は装着口３ｂの背面側周縁と収納部１２の開口１２ａの背面側周縁との間に設けられた案内板で、フィルターユニット１３の装着時にその背面を案内する。この案内板４１には係止穴２０が形成されている。
【００２７】
前記フィルターユニット１３は、集塵フィルター１５と、この集塵フィルター１５の風下側に配設される脱臭フィルター１６と、これら集塵フィルター１５と脱臭フィルター１６を一体化する枠体１７とから構成されている。
【００２８】
前記集塵フィルター１５は、紫外線で劣化し難いガラス繊維にて形成された不織布を襞折り状に加工してその周囲を同様のガラス繊維にて形成された枠体１７に固着して形成され、空気中の塵埃を除去する。（例えば、日本板硝子株式会社製のエアフィルターＡＨＳ−１７Ｍ−Ａ０）
また、前記脱臭フィルター１６は活性炭等を内蔵し、空気中の臭気成分を吸着して除去する。
【００２９】
また、枠体１７には、フィルターユニット１３の装着時に装着口３ｂ側に位置する手掛け部１８が側面に形成されている。この手掛け部１８の背面側には外方に弾性を有する係止爪１９が形成されており、フィルターユニット１３の装着時に係止穴２０に係止される。
【００３０】
２１は収納部１２の正面側の開口１２ｄを覆うように配設される殺菌ユニットで、一面を開口し、この開口を収納部１２側に向けて配設される箱状の取付板２２、紫外線を照射する２本の紫外線ランプ２３及び紫外線ランプ２３から照射される紫外線を反射する金属製の反射板２４等から構成されている。４２は殺菌ユニット２１を取り付けるためのネジである。
【００３１】
前記取付板２２の集塵フィルター１５と対面する面には多数の通気穴２５が形成され、その上部には紫外線ランプ２３と図示しない給電線で電気的に接続された接続端子２６が取り付けられている。この接続端子２６は殺菌ユニット２１を仕切板１１に取り付けた状態で収納部１２上部の給電端子１４に押圧されて電気的に接続され、紫外線ランプ２３への通電が可能となる。そして、殺菌ユニット２１を取り外した状態では接続端子２６と給電端子１４との電気的接続が断たれ、紫外線ランプ２３への通電が遮断されるようになっている。
【００３２】
前記紫外線ランプ２３は略２５４ｎｍ（ナノメータ）の波長の紫外線を照射するように構成されており、その上端と下端が反射板２４に夫々保持されている。この反射板２４は、殺菌ユニット２１の装着時に紫外線が集塵フィルター１５側へ反射され、且つ、紫外線ランプ２３の光軸が略鉛直となるように取付板２２に取り付けられる。
【００３３】
２７は仕切板１１の後ケース３側に配設される送風機で、仕切板１１に取り付けられたモータ２８と、このモータ２８により駆動されるファン２９とで構成されている。
【００３４】
３０は上ケース５に形成された操作部で、運転モードを切り替えるモード選択スイッチ３１と、運転停止を行うための停止スイッチ３２と、紫外線ランプ２３を点灯するための点灯スイッチ３３と、紫外線ランプ２３の点灯時に点灯する表示部３４が形成されている。また、操作部３０の内部には図示しないガスセンサが取り付けられている。
【００３５】
モード選択スイッチ３１は、押す毎に、自動モード、微弱モード、弱モード、中モード、強モード、特強モードと切り換えられるようになっている。この際、ＬＥＤ３５、３６、３７、３８、３９、４０の点灯にて、どのモードに切り替わったかを使用者が認識できるようになっている。
【００３６】
自動モードでは粉塵センサやガスセンサで検知された出力に基づいて送風機２７による風量が自動的に調整される。
【００３７】
微弱モード、弱モード、中モード、強モード及び特強モードでは、粉塵センサやガスセンサからの出力に関係なく、微弱モード、弱モード、中モード、強モード、特強モードの順に風量が多くなるようにそれぞれ風量が設定されて運転される。
【００３８】
次に動作について説明する。
【００３９】
モード選択スイッチ３１にて自動モード等が選択されると、ファン２９が駆動され、吸気口としての孔６から本体ケース１内に部屋の空気が吸い込まれる。この吸い込まれた空気は、殺菌ユニット２１の通気穴２５を通過し、紫外線ランプ２３、集塵フィルター１５及び脱臭フィルター１６を順次通過し、集塵フィルター１５にて空気中の塵埃が除去され、脱臭フィルター１６にて空気中の臭気成分が除去される。そして、塵埃が除去され、臭気成分が除去された空気は、穴１１ａからファンケーシング１０内に流入し、ファンケーシング１０に案内されて排気口２から本体ケース１外に放出される。これにより、上記構成の空気清浄機を設置した部屋の空気が除塵され、脱臭されて浄化される。
【００４０】
この運転中、点灯スイッチ３３を押して紫外線ランプ２３を点灯すると、紫外線ランプ２３からの紫外線が通気穴２５を通過した空気に照射されるようになり、空気中の雑菌の殺菌も行われるようになる。
【００４１】
更に、集塵フィルター１５の風上側の面１５ａには、紫外線ランプ２３からの紫外線が直接照射される上に、反射板２４で反射された紫外線も照射される。これにより、一面１５ａに付着した雑菌が殺菌され、集塵フィルター１５での雑菌の増殖を抑制することができる。
【００４２】
ところで、上記運転中、集塵フィルター１５に塵埃等が付着するにつれて通気抵抗が大きくなるため、定期的に集塵フィルター１５を掃除したり、交換したりする必要がある。
【００４３】
この場合、先ず、フィルターユニット１３の手掛け部１８を装着口３ｂから持ち、フィルターユニット１３を集塵フィルター１５への通気方向と交差する方向（ここでは略直交する方向で、図４中の矢印Ａ）にスライドさせて、本体ケース１から取り外す。
【００４４】
この際、上述の如くフィルターユニット１３の集塵フィルター１５の風上側の面１５ａに付着した雑菌を紫外線で殺菌するようにしたことで、集塵フィルター１５から飛散する雑菌の量を抑制でき、フィルターユニット１３を衛生的に取り外すことができる。
【００４５】
そして、取り外したフィルターユニット１３の集塵フィルター１５の掃除を行う。この掃除を行うことで、フィルターユニット１３を再使用することができ、長期間使用することができる。また、掃除をしても付着した塵埃等が除去できない場合には集塵フィルター１５の交換を行う。
【００４６】
掃除を終えた後又は交換を終えた後、手掛け部１８を持ってフィルターユニット１３を装着口３ｂから差し込むと、案内板４１と案内リブ１２ｂに案内され、所定の位置で手掛け部１８の係止爪１９が係止穴２０に係止されて保持され、装着が完了する。装着が完了すると上記運転が再度可能となる。
【００４７】
上述の如く、紫外線ランプ２３を集塵フィルター１５に対向させて集塵フィルター１５の風上側に設けるこことで、集塵フィルター１５において多くの雑菌が付着する風上側の面１５ａに効果的に紫外線を照射して殺菌を行うことができ、雑菌の増殖を抑制でき、フィルターユニット１３の掃除や交換を衛生的に行うことができる。また、紫外線ランプ２３から照射される紫外線を反射板２４にて集塵フィルター１５側へ反射するようにしたことで、紫外線ランプ２３から直接照射される紫外線に加え反射板２４で反射した紫外線によっても集塵フィルター１５の殺菌を行うことができ、雑菌の増殖をより効果的に抑制できる。
【００４８】
また、紫外線ランプ２３を取り外さなくても、フィルターユニット１３を本体ケース１から取り外したり装着したりできるので、紫外線ランプ２３を誤って落下させて破損させる恐れが無く、また、紫外線ランプ２３を取り外す作業が不要であり、容易にフィルターユニット１３を着脱でき、作業性を向上できる。
【００４９】
この集塵フィルター１５は、上述の如く、紫外線にて変質し難い素材であるガラス繊維にて形成されているので、上述の如く集塵フィルター１５へ紫外線を直接照射するようにしても、劣化し難く、長期間使用することができる。
【００５０】
また、紫外線を照射する発光体として波長が略２５４ｎｍの紫外線ランプ２３を使用したことで、人体に有害な影響を与えるオゾンを発生させることなく、強力に殺菌を行うことができる。
【００５１】
また、集塵フィルター１５の風上側に紫外線ランプ２３を、風下側に脱臭フィルター１６を夫々設けたことで、紫外線ランプ２３からの紫外線が集塵フィルター１５にて遮ぎられて脱臭フィルター１６へ当たることがなく、脱臭フィルター１６の劣化を防止でき、長期間使用することができる。
【００５２】
次に、本発明の第２の実施の形態における空気清浄機を図６乃至図９に基づき説明する。尚、第１の実施の形態と同一部品は同一符号を符して説明を省略する。
【００５３】
仕切板１１の略中央には前カバー４側を開口する凹状の収納部５１が形成されており、この収納部５１に集塵フィルター１５と脱臭フィルター１６とを集塵フィルター１５が風上側となるように収納する。また、収納部５１の左側周縁には枢支軸５２が形成され、右側周縁には係止穴５３が形成されている。
【００５４】
５４は収納部５１の開口を開閉自在に覆う殺菌ユニットで、収納部５１側を開口する箱状の取付板５５、紫外線を照射する２本の紫外線ランプ２３及び紫外線ランプ２３から照射される紫外線を反射する金属製の反射板２４等から構成されている。
【００５５】
前記取付板５５は、左側面側（一端側）に、収納部１２の枢支軸５２に枢支される枢支部５６が形成され、右側面側（他端側）に外方に弾性を有する係止爪５７が形成されており、この係止爪５７を収納部５１の係止穴５３に係止することで収納部５１の開口が閉じられる。
【００５６】
上記第２の実施の形態の空気清浄機は、第１の実施の形態と同様、モード選択スイッチ３１にて自動モード等が選択されると、ファン２９が駆動され、吸気口としての孔６から本体ケース１内に部屋の空気が吸い込まれ、集塵フィルター１５を通過する際に除塵され、脱臭フィルター１６を通過する際に脱臭される。そして、ファンケーシング１０に案内されて排気口２から本体ケース１外に放出される。
【００５７】
この運転中、点灯スイッチ３３を押して紫外線ランプ２３を点灯すると、紫外線ランプ２３からの紫外線が照射され、この紫外線により本体ケース１内に吸い込まれた空気の殺菌が行われる。
【００５８】
これと同時に、集塵フィルター１５の風上側の面１５ａへは紫外線ランプ２３からの紫外線が直接照射され、且つ、反射板２４で反射された紫外線も照射される。これにより、集塵フィルター１５の風上側の面１５ａに付着した雑菌の殺菌が行われ、集塵フィルター１５での雑菌の増殖を抑えることができる。
【００５９】
上記運転を継続すると集塵フィルター１５に付着する塵埃が多くなり、第１の実施の形態と同様に、集塵フィルター１５の掃除又は交換が必要となる。
【００６０】
この場合、先ず、前カバー４の操作ボタン９を押して前カバー４を本体ケース１から取り外し、殺菌ユニット５４の係止爪５７の係止状態を解除して、枢支軸５２を中心に回動させて殺菌ユニット５４を図８に示すように開く。
【００６１】
これにより、風上側から図中の矢印Ｂに示すように収納部１２に収納された集塵フィルター１５を取り外せるようになり、集塵フィルター１５の掃除又は交換を行うことができる。
【００６２】
このように、紫外線ランプ２３を取り外さなくても、紫外線ランプ２３を内蔵する殺菌ユニット５４が開くことで、集塵フィルター１５の着脱を行うことができる。これにより、紫外線ランプ２３を誤って落下させる恐れがなく、また、紫外線ランプ２３を取り外す労力が不要となり、容易に集塵フィルター１５の着脱を行うことができ、作業性を向上できる。
【００６３】
また、殺菌ユニット５４を開くと、接続端子２６が給電端子１４から外れるようになる。これにより、集塵フィルター１５を取り外す際に誤って点灯スイッチ３３が押されても紫外線ランプ２３が点灯することがなく、紫外線ランプ２３から照射される有害な紫外線が本体ケース１外に漏洩することがない。
【００６４】
尚、上記第１及び第２の実施の形態において、集塵フィルター１５を、紫外線で劣化し難いガラス繊維で形成したが、これに限定されるものではなく、紫外線で劣化し難い鋳物であれば他の材質のものであっても良い。
【００６５】
そして、紫外線ランプ２３を集塵フィルター１５の風上側に配設して、多くの雑菌が付着する集塵フィルター１５の風上側の面１５ａに紫外線を照射して雑菌の増殖を効果的に抑制できるようにするのが望ましいが、紫外線ランプを集塵フィルターの風下側に配設しても良い。
【００６６】
また、第１の実施の形態において、集塵フィルター１５と脱臭フィルター１６とを一体化したフィルターユニット１３を本体ケース１に着脱自在に装着するようにしたが、集塵フィルターのみを本体ケースに着脱自在に装着するようにしても良い。
【００６７】
【発明の効果】
本発明の請求項１によれば、集塵フィルターの風上側に位置する発光体から紫外線を集塵フィルターに照射して集塵フィルターに付着した雑菌を効率良く殺菌できると共に、発光体を取り外さずに集塵フィルターの着脱を行うことができるので、集塵フィルターの掃除や交換を容易に行うことができ、作業性を向上できる。
【００６８】
本発明の請求項２によれば、集塵フィルターの風上側に位置する発光体から紫外線を集塵フィルターに照射して集塵フィルターに付着した雑菌を効率良く殺菌できると共に、前記集塵フィルターを、集塵フィルターへの通気方向と交差する方向へスライドさせることにより、発光体を取り外さなくても集塵フィルターを着脱することができるので、集塵フィルターの掃除や交換を容易に行うことができる。
【００６９】
本発明の請求項３によれば、本体ケースに形成した装着口から手掛け部を持って集塵フィルターを本体ケースから容易に取り外すことができる。
【００７０】
本発明の請求項４によれば、集塵フィルターの風上側に位置する発光体から紫外線を集塵フィルターに照射して集塵フィルターに付着した雑菌を効率良く殺菌できると共に、発光体が取り付けられた取付板を開くことにより、発光体を取り外さなくても集塵フィルターを着脱することができるので、集塵フィルターの掃除や交換を容易に行うことができる。
【００７１】
本発明の請求項５によれば、取付板の他端側の係止を解除して、殺菌ユニットをその一端側を中心に回動することで、集塵フィルターを容易に取り外すことができる。
【００７２】
本発明の請求項６によれば、殺菌ユニットが所定の位置にない時に、発光体への通電が遮断されるので、集塵フィルターを取り外す際に誤って発光体が点灯されることがなく、有害な紫外線が本体ケース外に漏洩するのを確実に防止できる。
【００７３】
本発明の請求項７によれば、集塵フィルターへは、発光体から直接紫外線が照射される上に、反射板で反射された紫外線でも照射されるので、集塵フィルターに付着した雑菌を効率良く殺菌できる。
【００７４】
本発明の請求項８によれば、集塵フィルターは、紫外線が照射されても劣化し難く、長期間使用することができる。
【図面の簡単な説明】
【図１】本発明の実施の形態を示す空気清浄機の正面図である。
【図２】同空気清浄機の前カバーを取り外した状態での正面図である。
【図３】同空気清浄機の側面断面図である。
【図４】同空気清浄機の平面断面図である。
【図５】図４の状態からフィルターユニットを引き出す際の平面断面図である。
【図６】本発明の第２の実施の形態を示す空気清浄機の前カバーを取り外した状態での正面図である。
【図７】同空気清浄機の側面断面図である。
【図８】同空気清浄機の平面断面図である。
【図９】図８において前カバーを取り外し、殺菌ユニットを開いた状態での平面断面図である。
【符号の説明】
１　　　　本体ケース
３ｂ　　　装着口
１２　　　　収納部
１５　　　　集塵フィルター
１５ａ　　　集塵フィルターの風上側の面
１８　　　　手掛け部
２３　　　　紫外線ランプ（発光体）
２４　　　　反射板
５１　　　　収納部
５５　　　　取付板
【図１】
2004061078.tif 000003
【図２】
2004061078.tif 000004
【図３】
2004061078.tif 000005
【図４】
2004061078.tif 000006
【図５】
2004061078.tif 000007
【図６】
2004061078.tif 000008
【図７】
2004061078.tif 000009
【図８】
2004061078.tif 000010
【図９】
2004061078.tif 000011